(57)【特許請求の範囲】
【請求項１】
左右に延伸した一対の略半円形バンド片を結合する中央部にケース穴が形成されたバングルタイプバンドと、
前記ケース穴に収納された携帯装置と、
前記バングルタイプバンドの前記ケース穴の上側段部に着座して上側開口を塞ぐガラス部材と、前記ケース穴の下側開口を塞ぐ裏蓋と、
前記ガラス部材の下面と前記ケース穴の内周面の段部との間に配置された防水用ゴムパッキンを有し、
前記ガラス部材は、前記ケース穴の前記上側段部より上側の内周面の一部と前記ガラス部材の周縁のいずれか一部の一方に形成された嵌合溝と他方に形成された嵌合突起と前記防水用ゴムパッキンとによって防水することを特徴とするバングルタイプバンドを備えた腕装着型携帯装置。
【請求項２】
前記バングルタイプバンドはナイロン系プラスチック製バングルタイプバンドであることを特徴とする請求項１のバングルタイプバンドを備えた腕装着型携帯装置。
【請求項３】
前記嵌合溝は前記ケース穴の内周面に形成され、且つ前記嵌合突起は前記ガラス部材の周縁に形成されていることを特徴とする請求項１又は２記載のバングルタイプバンドを備えた腕装着型携帯装置。
【請求項４】
前記嵌合溝は前記ガラス部材の周縁に形成され、且つ前記嵌合突起はケース穴の内周面に形成されていることを特徴とする請求項１又は２記載のバングルタイプバンドを備えた腕装着型携帯装置。
【請求項５】
前記ケース穴の内周面の一部は、バンド長さ方向の左右の内周面であることを特徴とする請求項１乃至３いずれかに記載のバングルタイプバンドを備えた腕装着型携帯装置。
【請求項６】
前記バングルタイプバンドよりも硬質の材料で、前記携帯装置と前記ケース穴の内周面との間に配置し、前記バングルタイプバンドの携帯装置を保護と前記バングルタイプバンドの動きを規制する補強板を有する請求項1乃至５のいずれかに記載のバングルタイプバンドを備えた腕装着型携帯装置。
【発明の詳細な説明】
【０００１】
【発明の属する技術分野】
本発明は、ケース一体型バングルタイプバンドを備えた腕装着型携帯装置に関し、特に装置本体を収容するケースの上側開口を塞ぐガラス部材をケース一体型バングルタイプバンドに固定する構造に関する。
【０００２】
【従来の技術】
腕時計、腕装着型高度計、腕装着型心拍計等の腕装着型携帯装置は、携帯装置と腕装着具とで構成されている。前記携帯装置は装置本体と、この装置本体を内部に収納する丸型や角型等のケースとで構成されている。前記装置本体は、様々な機械部品や電子部品で構成され、時計、高度計、心拍計等の本来機能を実現する。この装置本体を収容し固定する丸型や角型等のケースとで構成されている。前記ケースは、携帯装置の装置本体を単に収容し固定するだけでなく、装置の防水性、耐圧性、耐衝撃性等の特性をも実現するケースである。従って、前記装置本体と前記ケースは、いずれも腕装着型携帯装置を構成する必須のものである。
【０００３】
前記腕装着具は、一般に、前記ケースとは別体のものである。即ち、一般的な腕装着具は、皮製、金属製、プラスチック製、又は布製バンドであり、その多くは左右一対のバンド片から構成されている。前記ケースの左右の端部にはバンド取り付け部が形成されている。そして、前記一対のバンド片の夫々の一端を前記ケースの左右のバンド取り付け部に固着して、バンドはケースに取付けられている。このバンドのケースへの取り付けによって、腕装着型携帯装置は完成する。このように、腕装着型携帯装置に用いられるバンドは左右一対のバンド片が別体であるものが一般的である。
【０００４】
ところが、腕装着型携帯装置に用いられるバンドに、左右一対のバンド片が一体の硬質プラスチック製や金属製のバングルタイプバンドと呼ばれるものがある。バングル（bangle）とは装飾用腕輪であって、完全なリング状腕輪と、３００度程度まで周回した不完全なリング状腕輪が代表的なものである。腕装着型携帯装置に用いられるバングルタイプバンドは、後者の如き３００度程度まで周回した不完全なリング状バンドである。このようなバングルタイプバンドを備えた腕装着型携帯装置は、左右一対のバンド片が別体であるバンドを備えた腕装着型携帯装置に比べると、腕への装着と脱着が容易であるという利点があるが、構造上いくつかの問題がある。
【０００５】
従来のバングルタイプバンドを備えた腕装着型携帯装置には、２種類のものがある。バンドとケースが一体のケース一体型バングルタイプバンドを備えた腕装着型携帯装置と、バンドとケースが別体のケース別体型バングルタイプバンドを備えた腕装着型携帯装置である。
【０００６】
ケース別体型バングルタイプバンドを備えた腕装着型携帯装置は、携帯装置とケース別体型バングルタイプバンドとで構成されている。前記携帯装置は装置本体と、この装置本体を収容し固定する丸型や角型等のケースとで構成されている。前記ケースは、携帯装置の装置本体を単に収容し固定するだけでなく、装置の防水性、耐圧性、耐衝撃性等の特性をも実現するケースである。
【０００７】
前記ケース別体型バングルタイプバンドは、左右にバンド片部分が形成され、且つ中央に前記ケースを取付ける取付け穴が形成されている。前記携帯装置のケースは、前記ケース別体型バングルタイプバンドの取付け穴に装着され、且つ止めねじ等の固定用部品で固定されている。このような構造であるために、ケース別体型バングルタイプバンドを備えた腕装着型携帯装置は、バンドを腕に装着し又は脱着するためにどのように開閉しても、前記ケースの収納性、防水性、耐衝撃性等に何らの影響も与えるものではない。しかしながら、ケース別体型バングルタイプバンドを備えた腕装着型携帯装置は、ケースの固定に止めねじ等の固定用部品を用いなければならないので、その分だけケースサイズが大きくなるという構造上の問題がある。従って、ケース別体型バングルタイプバンドを備えた腕装着型携帯装置は、女持ちサイズの腕時計には適用できないものである。
【０００８】
これに対して、ケース一体型バングルタイプバンドを備えた腕装着型携帯装置は、左右に延伸した一対の略半円形バンド片を結合する中央部にケース穴が形成された金属製又は硬質プラスチック製バングルタイプバンドと、前記ケース穴に収納された装置本体と、前記バングルタイプバンドのケース穴の上側開口を塞ぐガラス部材とで構成されている。
【０００９】
即ち、ケース一体型バングルタイプバンドを備えた腕装着型携帯装置は、図４に示す如く、携帯装置１０とケース一体型バングルタイプバンド２０とで構成されている。前記ケース一体型バングルタイプバンド２０は、肉厚で且つ幅広の中央部２１に装置本体を収納するケース穴２２が形成され、且つ左右に左側バンド片２３と右側バンド片２４が夫々形成された金属製又は硬質プラスチック製バンドである。ケース穴２２の上側開口近くの内周面には段部が形成されている。ガラス部材２５は、携帯装置１０がケース穴２２の所定場所に収納された後、その下面が前記段部に着座するようにしてケース穴２２の上側開口に嵌め込まれ、溶着又は接着剤で固定される。このように、ガラス部材２５とバンド２０の固定部を溶着又は接着することにより、ケース穴２２の上側開口の防水性が保証されるようになっている。
【００１０】
他方、ケース穴２２の下側開口は、電池１０ａがケース穴２２の所定場所に収納された後に、円板状雄ねじ２６で塞がれている。円板状雄ねじ２６のヘッド部とケース穴２２の下側開口の周縁部との間にはゴムパッキンが配置されており、円板状雄ねじ２６をケース穴２２の下側開口の内周面に形成された雌ねじ部と螺合させて締め付けることにより、ケース穴２２の下側開口の防水性が保持されている。
【００１１】
【発明が解決しようとする課題】
従来の腕装着型携帯装置は、ケース一体型バングルタイプバンドを備えた腕装着型携帯装置の場合、腕に装着するにはバンドを開かなければならない。即ち、左側バンド片２３の端部２３ａと右側バンド片２４の端部２４ａを夫々外周側に引っ張って、バンドを開く必要がある。すると、ケース一体型バングルタイプバンド２０のケース穴２２には、バンドを引っ張って開くことによる応力が加わる。このバンドを引っ張って開くことにより加わる応力は、ケース穴２２のバンド長さ方向の左右の内周面に集中する。腕装着型携帯装置が腕時計で説明すれば、前記応力はケース穴２２の１２時方向と６時方向の内周面に集中する。このため、ケース穴２２の上側開口が変形し、ケース穴２２とガラス部材２５との固定部が剥離してしまうことが発生することがある。このような剥離が発生すると防水を保証できなくなり、更に剥離がはなはだしい場合にはガラス部材２５がケース穴２２から外れてしまうことも起こるという問題がある。
【００１２】
上述の問題を対応するために、従来のケース一体型バングルタイプバンドを備えた腕装着型携帯装置においては、バンド２０のみで応力を吸収させる蝶番機構をバンドの中間部に入れる構造が採用されている。即ち図４の如きケース一体型バングルタイプバンド２０において、左側バンド片２３の中間部２３ｂと右側バンド片２４の中間部２４ｂに蝶番機構を夫々入れる構造である。しかしながら、蝶番機構にすると、蝶番部に手首周りの皮膚や毛が挟まったり、またプラスチックバンドではその機構部の破損が懸念されるという問題がある。
【００１３】
そこで、本発明は、ケース一体型バングルタイプバンドを備えた腕装着型携帯装置において、バンドの開閉による応力集中に起因するガラス部材が外れを防止し、且つケースの防水性を保証するガラス部材固定構造を提供することにすることである。
【００１４】
【課題を解決するための手段】
上記課題を解決するため、本発明のバングルタイプバンドを備えた腕装着型携帯装置は、左右に延伸した一対の略半円形バンド片を結合する中央部にケース穴が形成されたバングルタイプバンドと、前記ケース穴に収納された携帯装置と、前記バングルタイプバンドの前記ケース穴の上側段部に着座して上側開口を塞ぐガラス部材と、前記ケース穴の下側開口を塞ぐ裏蓋と、前記ガラス部材の下面と前記ケース穴の内周面の段部との間に配置された防水用ゴムパッキンを有し、前記ガラス部材は、前記ケース穴の前記上側段部より上側の内周面の一部と前記ガラス部材の周縁のいずれか一部の一方に形成された嵌合溝と他方に形成された嵌合突起と前記防水用ゴムパッキンとによって防水する。なお、前記プラスチック製バングルタイプバンドはナイロン系プラスチック製バングルタイプバンドが最適である。
【００１５】
前記嵌合溝が前記ケース穴の内周面の一部に設けられた場合、前記嵌合突起は前記ガラス部材の周縁の一部に設けられる。逆に、前記嵌合溝が前記ガラス部材の周縁の一部に設けられた場合、前記嵌合突起は前記ケース穴の内周面の一部に設けられる。
【００１６】
そして、前記嵌合溝又は嵌合突起が設けられる場所は、前記ケース穴のバンドの長さ方向の左右の内周面、即ちバンド開閉時の応力が集中する部分に設けた。
【００１７】
さらに、本発明のバングルタイプバンドを備えた腕装着型携帯装置は、前記バングルタイプバンドよりも硬質の材料で、前記携帯装置と前記ケース穴の内周面との間に配置し、前記バングルタイプバンドの携帯装置を保護と前記バングルタイプバンドの動きを規制する補強板を有する。
【００１８】
【発明の実施の形態】
本発明の一実施形態のバングルタイプバンドを備えた腕装着型携帯装置を、図１のバンド長さ方向に切断した断面図、図２の部分拡大断面図、及び図３の平面図を参照して、以下に詳細に説明する。
【００１９】
即ち、本発明の一実施形態のケース一体型バングルタイプバンドを備えた腕装着型携帯装置は、携帯装置１０とケース一体型バングルタイプバンド２０とで構成されている。ケース一体型バングルタイプバンド２０は、肉厚で且つ幅広の中央部２１に携帯装置１０を収納するケース穴２２が形成され、且つ中央部２１の左右に左側バンド片２３と右側バンド片２４とが一体に形成されたプラスチック製バンドである。携帯型腕時計の場合、前記携帯装置はムーブメントと表示部等を含む時計本体である。
【００２０】
ケース穴２２は、携帯装置１０を収納する大きさの穴であって、大径の上側開口と小径の下側開口を有する段付貫通穴である。ケース穴２２の内部には、その内周面に沿ってケース穴補強板２８が配置されている。ケース穴補強板２８はバングルタイプバンド２０よりも剛性のある材料、例えば金属で作られている。ケース穴補強板２８は、ケース一体型バングルタイプバンド２０を変形させたときに、ケース一体型バングルタイプバンド２０が携帯装置１０の方向に変形しようとすることを規制する共に、携帯装置１０を保護する。
【００２１】
ケース穴２２の上側開口は、丸みを帯びた略正方形の開口である。ケース穴２２の上側開口近くの内周面には、段部２２ａが形成されている。ケース穴２２の上側開口を塞ぐガラス部材２５は、前記上側開口に押し込まれて嵌合されるものであるから、その縦幅と横幅はケース穴２２の上側開口の縦幅と横幅と基本的には同じである。
【００２２】
ケース穴２２の下側開口は円形の開口である。ケース穴２２の下側開口は、従来装置と同様の構造で、防水性を保持して塞がれている。即ち、ケース穴２２の下側開口は、電池１０ａがケース穴２２の所定場所に収納された後に、円板状雄ねじ２６で塞がれている。円板状雄ねじ２６のヘッド部とケース穴２２の下側開口の周縁部との間にはゴムパッキンが配置されており、円板状雄ねじ２６をケース穴２２の下側開口の内周面に形成された雌ねじ部と螺合させて締め付けることにより、ケース穴２２の下側開口の防水性が保持されている。
【００２３】
ケース穴２２の上側開口は、ガラス部材２５によって塞がれ、本発明に係る固定構造によってガラス部材とケース一体型バングルタイプバンドとが固定されている。
【００２４】
本発明の一実施形態に採用されているガラス部材をケース一体型バングルタイプバンドに固定する構造は、以下の通りである。即ち、ケース一体型バングルタイプバンド２０はナイロン系プラスチック製バングルタイプバンドである。そして、ケース一体型バングルタイプバンド２０のケース穴２２の内周面に嵌合溝２２ｂと２２ｃが形成されている。嵌合溝２２ｂと２２ｃの形成部分は、ケース穴２２のバンド長さ方向の左右の内周面であり、言わば時計の１２時と６時の位置に対応する内周面である。この部分は、バンド開閉時の応力が集中する部分である。
【００２５】
一方、ガラス部材２５の周縁には嵌合突起２５ｂ、２５ｃが形成されている。嵌合突起２５ｂ、２５ｃは、ガラス部材２５の周縁の全周縁でなく、ケース穴２２のバンド長さ方向の左右の内周面に形成された嵌合溝２２ｂと２２ｃと対応する周縁に形成されている。
【００２６】
上記の嵌合溝と嵌合突起によるガラス部材とケース一体型バングルタイプバンドとの固定構造とともに、本発明には防水性を保証する構造が採用されている。この防水性を保証する構造は、ケース穴２２の内周面の段部２２ａに形成されたパッキン溝２２ｄに収納されたゴムパッキン２７によって構成されている。
【００２７】
本発明の一実施形態において、ガラス部材２５は、携帯装置１０がケース穴２２の所定場所に収納され、ゴムパッキン２７がされたパッキン溝２２ｄに収納された後に、ケース穴２２の上側開口に嵌め込まれる。すると、ガラス部材２５はその下面がケース穴２２の段部２２ａに着座すると共に、その周縁の嵌合突起２５ｂと２５ｃがケース穴２２の嵌合溝２２ｂと２２ｃに夫々食付くように嵌合し、これによってガラス部材２５はケース一体型バングルタイプバンド２０に固定される。そして、ゴムパッキン２７によって、ケース穴２２の上側開口の防水性が保証される。
【００２８】
本発明に係るケース一体型バングルタイプバンドを備えた腕装着型携帯装置を腕に装着する場合も、左側バンド片２３の端部２３ａと右側バンド片２４の端部２４ａを夫々外周側に引っ張ってバンドを開く。すると、ケース一体型バングルタイプバンド２０のケース穴２２には、バンドを引っ張って開くことによる応力が加わる。このバンドを引っ張って開くことにより加わる応力は、ケース穴２２のバンド長さ方向の左右の内周面に集中するから、ケース穴２２は変形する。
【００２９】
しかしながら、このバンド開閉により応力が集中的に加わる部分には本発明に係る嵌合溝と嵌合突起による固定構造が採用されているので、溶着や接着による従来装置における固定構造で問題となった剥離やガラス部材の外れが生じなくなった。ケース穴２２の変形が起きても、防水パッキン２７による防水構造には影響がない。従って、バンド開閉によりバンド２０のケース穴２２が変形しても、ケース穴２２の上側開口の防水性が保証される。また、前記ケース穴２２の変形が起きても、ケース穴２２の下側開口の防水性は、従来装置と同様に保証されている。
【００３０】
【発明の効果】
本発明により、ケース一体型バングルタイプバンドの開閉時にガラス部材とバンドとの固定部に応力が集中してケース穴が変形しても、固定部の剥離やガラス部材のケース穴からの外れということがなくなった。また、前記ケース穴の変形が起きても、ケース穴の内周面の上側段部に配置された防水パッキンによる防水構造には影響が及ばないから、ケース穴の上側開口の防水性が保証される。
【００３１】
更に、本発明に係るガラス部材とケース一体型バングルタイプバンドとの固定構造は、溶着工程や接着剤による接着工程を経ずに実施できるので、製造コストが低減されるようになった。
【図面の簡単な説明】
【図１】本発明の一実施形態のケース一体型バングルタイプバンドを備えた腕装着型携帯装置のバンド長さ方向に切断した断面図である。
【図２】本発明の一実施形態のケース一体型バングルタイプバンドを備えた腕装着型携帯装置のバンド長さ方向に切断した図１の断面図の部分拡大断面図である。
【図３】本発明の一実施形態のケース一体型バングルタイプバンドを備えた腕装着型携帯装置の平面図である。
【図４】従来のケース一体型バングルタイプバンドを備えた腕装着型携帯装置のバンド長さ方向に切断した断面図である。
【符号の説明】
１０  携帯装置
１０ａ
２０  ケース一体型バングルタイプバンド
２１  中央部
２２  ケース穴
２２ａ  ケース穴の内周面に形成された段部
２２ｂ、２２ｃ  ケース穴の内周面に形成された嵌合溝
２２ｄ  パッキン収容溝
２３  左側バンド片
２３ａ  左側バンド片の先端
２３ｂ  左側バンド片の中間
２４  右側バンド片
２４ａ  右側バンド片の先端
２４ｂ  右側バンド片の中間
２５  ガラス部材
２５  ガラス部材の周縁に形成された嵌合突起
２６  円板状雄ねじ
２７  防水用ゴムパッキン
２８  ケース穴補強板
【図１】
0003961320.tif 000002
【図２】
0003961320.tif 000003
【図３】
0003961320.tif 000004
【図４】
0003961320.tif 000005